(57)【要約】【課題】静電吸引方式インクジェットヘッドにおける放電発生時の駆動電極への電流の流れ込みを低減し、電界の干渉を防いで吐出安定性を向上させること。【解決手段】非導電性インクが充填される吐出キャビティとインクが充填されないダミーキャビティとが圧電材料からなる駆動壁１６を介して交互に配置された圧力発生体とノズル板１１とを備え、対向電極との間に電界を形成してインク滴を加速吸引する静電吸引式インクジェットヘッドにおいて、ノズル板１１を絶縁材料によって形成し、ダミーキャビティ内の駆動壁面に駆動電極１８を設け、吐出キャビティ内の駆動壁面に共通電極１７を設け、駆動電極１８は共通電極１７よりもノズル板１１から離間し、共通電極１７のノズル板１１側の先端１７ａと、駆動壁１６を挟んで設けられる駆動電極１８のノズル板１１側の先端１８ａとを含む平面Ｐが駆動壁１６の壁面となす角度を６０°以下とする。【選択図】      図３
2008284813.tif 000002
【特許請求の範囲】
【請求項１】
非導電性インクが充填される吐出キャビティとインクが充填されないダミーキャビティとが圧電材料からなる駆動壁を介して交互に配置された圧力発生体と、前記圧力発生体における前記吐出キャビティ及び前記ダミーキャビティが開口する面に接合され、前記吐出キャビティに連通するノズルが複数設けられたノズル板とを備えてなり、前記ノズル板に対向して配置される対向電極との間に電界を形成することにより前記ノズルから吐出されるインク滴を加速吸引する静電吸引式インクジェットヘッドにおいて、
前記ノズル板は絶縁材料によって形成され、
前記ダミーキャビティ内の駆動壁面に駆動電圧が印加される駆動電極が設けられると共に、前記吐出キャビティ内の駆動壁面に共通電極が設けられ、
前記駆動電極は、前記共通電極よりも前記ノズル板から離間しており、
前記共通電極の前記ノズル板側の先端と、前記駆動壁を挟んで設けられている前記駆動電極の前記ノズル板側の先端とを含む平面が前記駆動壁の壁面となす角度が６０°以下であることを特徴とする静電吸引式インクジェットヘッド。
【請求項２】
非導電性インクが充填される吐出キャビティとインクが充填されないダミーキャビティとが圧電材料からなる駆動壁を介して交互に配置された圧力発生体と、前記圧力発生体における前記吐出キャビティ及び前記ダミーキャビティが開口する面に接合され、前記吐出キャビティに連通するノズルが複数設けられたノズル板とを備えてなり、前記ノズル板に対向して配置される対向電極との間に電界を形成することにより前記ノズルから吐出されるインク滴を加速吸引する静電吸引式インクジェットヘッドにおいて、
前記ノズル板は絶縁材料によって形成され、
前記吐出キャビティ内の駆動壁面に駆動電圧が印加される駆動電極が設けられると共に、前記ダミーキャビティ内の駆動壁面に共通電極が設けられ、
前記駆動電極は、前記共通電極よりも前記ノズル板から離間しており、
前記共通電極の前記ノズル板側の先端と、前記駆動壁を挟んで設けられている前記駆動電極の前記ノズル板側の先端とを含む平面が前記駆動壁の壁面となす角度が６０°以下であることを特徴とする静電吸引式インクジェットヘッド。
【請求項３】
前記共通電極は、前記圧力発生体における前記吐出キャビティが開口する面まで延在していることを特徴とする請求項１又は２記載の静電吸引式インクジェットヘッド。
【請求項４】
請求項１、２又は３記載の静電吸引式インクジェットヘッドと、
前記静電吸引式インクジェットヘッドの前記ノズル板との間に記録媒体を挟んで対向するように配置された対向電極と、
前記静電吸引式インクジェットヘッドと前記対向電極との間に電圧を印加することにより電界を形成する電源とを備えてなることを特徴とするインクジェット記録装置。
【発明の詳細な説明】
【技術分野】
【０００１】
本発明は静電吸引式インクジェットヘッド及びインクジェット記録装置に関し、詳しくは、インクジェットヘッドのノズル板に対向するように対向電極が配置され、インクジェットヘッドと対向電極との間に電界を形成するようにした、例えばプリンタ、ファクシミリ等に適用される静電吸引方式インクジェットヘッド及びインクジェット記録装置に関する。
【背景技術】
【０００２】
インクジェット記録装置に使用されるインクジェットヘッドは種々存在するが、その中の一つに、圧電材料を使用したオンデマンド方式のインクジェットヘッドがある。
【０００３】
このようなインクジェットヘッドとして、例えば特許文献１には、図８に示すインクジェットヘッドが開示されている。このインクジェットヘッド１００は、ノズル板１０１に設けられたノズル１０２に通じるインクが充填される吐出キャビティ１０４とインクの充填されないダミーキャビティ１０５とを圧電材料からなる駆動壁１０６によって交互に並設し、吐出キャビティ１０４内の両側の駆動壁１０６の壁面に共通電極１０７を設けると共に、ダミーキャビティ１０５内の両側の駆動壁１０６の壁面に駆動電極１０８を設けた圧力発生体１０３を備えた構成となっている。
【０００４】
このインクジェットヘッド１００は、駆動電極１０８に駆動用電源１０９から駆動電圧を印加することにより駆動壁１０６を変形させ、吐出キャビティ１０４内のインクに吐出エネルギーを付与し、インク滴をノズル１０２から吐出させ、ノズル板１０１に対向する記録媒体２００に着弾させる。
【０００５】
また、このようなインクジェットヘッドでは、吐出キャビティ内の電極を駆動電極とし、ダミーキャビティ内の電極を共通電極とし、吐出キャビティ内の駆動電極に駆動電圧を印加しても、同様にインクを吐出することができる。
【０００６】
ところが、例えば記録の高精細化を図るために吐出するインク滴を小液滴化しようとすると、以下のような問題がある。
【０００７】
一般に、物体のスケールが小さくなると、粘性力等の表面力が、慣性力や重力等の体積力と比較して相対的に大きくなることが知られているが、かかるインクジェットヘッドを有するインクジェット記録装置では、小液滴化により影響を増す空気の粘性力への対応がなされていないので、インク滴が小さくなればなるほど速度の減速が早く、所定の距離離れた記録媒体に到達できないか、到達しても着弾位置精度が悪くなってしまう。
【０００８】
このような問題を解決するには、ノズルからインク滴を吐出する際の吐出エネルギーを大きくする必要があるが、インク滴の小液滴化と吐出エネルギーの増大化とは相反する課題であり、現実的には極めて困難である。
【０００９】
一方、小液滴化への対策の一つとして、帯電した液滴を電界により記録媒体に向かって加速する静電吸引方式のインクジェット記録装置が、例えば特許文献２に開示されている。
【特許文献１】特開２００４−３１４３１２号公報
【特許文献２】特開２００５−１３６１５１号公報
【発明の開示】
【発明が解決しようとする課題】
【００１０】
このような吐出キャビティ及びダミーキャビティ内の駆動壁面にそれぞれ電極を有する圧電材料を使用したインクジェットヘッドでは、インクが充填される吐出キャビティ内の電極を駆動電圧が印加される駆動電極とした場合、導電性インクの使用に備え、インクと接する駆動電極の表面に絶縁体の保護膜を塗布する必要がある。
【００１１】
しかし、このようなインクジェットヘッドを用い、そのノズル板に対向するように対向電極を配置して、インクジェットヘッドと対向電極との間に電圧を印加することにより電界を形成するようにした静電吸引方式のインクジェット記録装置を構成した場合、保護膜によって、吐出キャビティ内の駆動電極に印加される駆動電圧による導通を防ぐことはできても、吐出キャビティ内のインクと対向電極との間に放電が生じた際に、保護膜が絶縁破壊し、両者が導通する可能性が高いという問題がある。
【００１２】
一方、図８に示したように、ダミーキャビティ内の電極を駆動電極とし、吐出キャビティ内の電極を接地用の共通電極とすれば、インクは接地用の共通電極と接することになるため、導電性インクを使用する場合でも、かかる導通の危険性を回避することができる。
【００１３】
ところが、この場合でも、ノズル板と対向電極との間で放電が生じた際に、ノズル板が絶縁破壊することにより、駆動電極に電流が流れ込んでしまう危険性があることがわかった。
【００１４】
また、駆動電極に駆動電圧を印加する際に形成される電界が、対向電極による液滴の加速電界を干渉することにより、インク滴を安定に飛翔させることが困難となるという更なる問題もある。
【００１５】
すなわち、図９に示すように、駆動電極１０８に電圧を印加すると、駆動壁１０６だけでなく、その周囲にも電界Ｂが発生する。インクジェットヘッド１００と対向電極３００との間の電界Ａはノズル板１０１に垂直に形成されているが、電界Ｂによりインク滴がノズル板１０１と水平方向にも力を受けることになる結果、飛翔方向が安定せず、着弾精度が悪くなる原因となる。
【００１６】
そこで、本発明は、放電発生時に駆動電極に電流が流れ込む危険性を低減でき、また、電界の干渉を防いで吐出の安定性を向上させることのできる静電吸引方式インクジェットヘッド及びこれを備えたインクジェット記録装置を提供することを課題とする。
【００１７】
本発明の他の課題は、以下の記載により明らかとなる。
【課題を解決するための手段】
【００１８】
上記課題は、以下の各発明によって解決される。
【００１９】
請求項１記載の発明は、非導電性インクが充填される吐出キャビティとインクが充填されないダミーキャビティとが圧電材料からなる駆動壁を介して交互に配置された圧力発生体と、前記圧力発生体における前記吐出キャビティ及び前記ダミーキャビティが開口する面に接合され、前記吐出キャビティに連通するノズルが複数設けられたノズル板とを備えてなり、前記ノズル板に対向して配置される対向電極との間に電界を形成することにより前記ノズルから吐出されるインク滴を加速吸引する静電吸引式インクジェットヘッドにおいて、前記ノズル板は絶縁材料によって形成され、前記ダミーキャビティ内の駆動壁面に駆動電圧が印加される駆動電極が設けられると共に、前記吐出キャビティ内の駆動壁面に共通電極が設けられ、前記駆動電極は、前記共通電極よりも前記ノズル板から離間しており、前記共通電極の前記ノズル板側の先端と、前記駆動壁を挟んで設けられている前記駆動電極の前記ノズル板側の先端とを含む平面が前記駆動壁の壁面となす角度が６０°以下であることを特徴とする静電吸引式インクジェットヘッドである。
【００２０】
請求項２記載の発明は、非導電性インクが充填される吐出キャビティとインクが充填されないダミーキャビティとが圧電材料からなる駆動壁を介して交互に配置された圧力発生体と、前記圧力発生体における前記吐出キャビティ及び前記ダミーキャビティが開口する面に接合され、前記吐出キャビティに連通するノズルが複数設けられたノズル板とを備えてなり、前記ノズル板に対向して配置される対向電極との間に電界を形成することにより前記ノズルから吐出されるインク滴を加速吸引する静電吸引式インクジェットヘッドにおいて、前記ノズル板は絶縁材料によって形成され、前記吐出キャビティ内の駆動壁面に駆動電圧が印加される駆動電極が設けられると共に、前記ダミーキャビティ内の駆動壁面に共通電極が設けられ、前記駆動電極は、前記共通電極よりも前記ノズル板から離間しており、前記共通電極の前記ノズル板側の先端と、前記駆動壁を挟んで設けられている前記駆動電極の前記ノズル板側の先端とを含む平面が前記駆動壁の壁面となす角度が６０°以下であることを特徴とする静電吸引式インクジェットヘッドである。
【００２１】
請求項３記載の発明は、前記共通電極は、前記圧力発生体における前記吐出キャビティが開口する面まで延在していることを特徴とする請求項１又は２記載の静電吸引式インクジェットヘッドである。
【００２２】
請求項４記載の発明は、請求項１、２又は３記載の静電吸引式インクジェットヘッドと、前記静電吸引式インクジェットヘッドの前記ノズル板との間に記録媒体を挟んで対向するように配置された対向電極と、前記静電吸引式インクジェットヘッドと前記対向電極との間に電圧を印加することにより電界を形成する電源とを備えてなることを特徴とするインクジェット記録装置である。
【発明の効果】
【００２３】
請求項１、２記載の発明によれば、インクジェットヘッドと対向電極との間で放電が発生した場合でも、駆動電極は共通電極よりもノズル板から離間しているので、駆動電極は空気又は圧電材料によって電流から保護され、駆動電極に電流が流れ込む危険性を大幅に低減することができる。
【００２４】
また、駆動電極による電界が、対向電極によるインク滴の加速電界に対して干渉することを低減することができる。これにより、駆動電極の電圧印加状態にかかわらず、安定な吐出を行うことができる。
【００２５】
更に、ノズル板が絶縁材料からなるので、吐出キャビティ内に共通電極を設けた場合には、インク充填時にインクと導通するので、充填されたインクと対向電極間に電圧が印加されて電界を形成するため、別途新たにアース電極を設ける必要がない。
【００２６】
請求項３記載の発明によれば、共通電極はノズル板に近接するので、放電時の駆動電極への電流の流れ込みをより一層防止することができる。
【００２７】
請求項４記載の発明によれば、上記効果を有するインクジェット記録装置を提供することができる。
【発明を実施するための最良の形態】
【００２８】
以下、本発明の実施の形態について図面を用いて説明する。
【００２９】
図１は、本発明に係るインクジェット記録装置の一例を示す概略図であり、インクジェットヘッドを断面で示している。
【００３０】
インクジェット記録装置は、インク滴を吐出するノズル１２が複数設けられたノズル板１１を有する静電吸引方式のインクジェットヘッド１０と、対向電極２０とを有している。この対向電極２０は、インクジェットヘッド１０のノズル板１１との間に記録媒体３０を挟んでノズル板１１から１ｍｍ〜３ｍｍ程度の距離をおいて対向するように配置されている。
【００３１】
対向電極２０には電源２１が負電圧を印加可能に接続されている。
【００３２】
インクジェットヘッド１０は、内部にインクが充填される吐出キャビティ１４と、内部にインクが充填されないダミーキャビティ１５とが、圧電材料からなる駆動壁１６を介して交互に並設された圧力発生体１３を有している。
【００３３】
本発明において、インクには非導電性インクが用いられる。
【００３４】
ノズル板１１は、この圧力発生体１３における吐出キャビティ１４とダミーキャビティ１５とが開口する面に接合されており、該ノズル板１１に形成された複数のノズル１２の各々は、圧力発生体１３における各吐出キャビティ１４に対応して設けられ、各吐出キャビティ１４内を外部と連通させている。
【００３５】
このノズル板１１は絶縁材料で形成されている。絶縁材料としては、例えばポリイミド等の合成樹脂の他、ガラス等が挙げられる。ノズル板１１の厚みは、５０〜２００μｍが好ましい。
【００３６】
圧力発生体１３の駆動壁１６を構成するための圧電材料としては、電圧を加えることにより変形を生じる公知の圧電材料を用いることができるが、特にチタン酸ジルコン酸鉛（ＰＺＴ）が好ましい。
【００３７】
図２は、図１のＡ−Ａ’線に沿う断面図である。同図に示すように、各駆動壁１６は、２つの圧電材料１６ａ、１６ｂを、それぞれの分極方向が互いに反対方向となるように重ね合わせて接着剤によって接合することにより形成されている。
【００３８】
なお、図中、１３ａは各吐出キャビティ１４と各ダミーキャビティ１５の上方を塞いでいる上部基板、１３ｂは各吐出キャビティ１４と各ダミーキャビティ１５の下方を塞いでいる下部基板である。
【００３９】
このインクジェットヘッド１０において、各駆動壁１６における吐出キャビティ１４内に臨む壁面には、共通電極１７が密着形成されていると共に、吐出キャビティ１４の両隣のダミーキャビティ１５内に臨む壁面には、駆動電圧を印加するための駆動電極１８が密着形成されている。
【００４０】
かかるインクジェットヘッド１０は、各ダミーキャビティ１５内の駆動壁１６の壁面に設けられた駆動電極１８に、駆動用電源１９から駆動電圧を印加し、この駆動電極１８と共通電極１７との間に電界を形成すると、圧電材料からなる駆動壁１６がせん断変形作用によってくの字状に変形変形する。この駆動壁１６の変形により吐出キャビティ１４の容積が変化し、インクに吐出エネルギーが付与され、ノズル１４からインク滴を飛翔させる。飛翔したインク滴は、インクジェットヘッド１０と対向電極２０との間に形成される電界の作用を受けて、対向電極２０上に配置されている記録媒体３０上に着弾する。
【００４１】
このとき、インクジェットヘッド１０はアース電位にすることが好ましい。インクジェットヘッド１０と対向電極２０との間に形成される電界は、記録媒体３０に対して垂直に形成されていればよく、液滴を静電吸引力によって加速させるのに十分な電界を形成することができればよい。インクジェットヘッド１０のアースは共通電極１７を用いて接地することによって行うことが好ましい。
【００４２】
なお、図１では、便宜上、各共通電極１７及び各駆動電極１８のうち、一組の共通電極１７を接地し、一組の駆動電極１８に駆動電圧を印加するように示されているが、実際には、全ての共通電極１７は共通に接地され、また、駆動用電源１９からの駆動電圧は全ての駆動電極１８に駆動電圧を印加可能に形成される。
【００４３】
各共通電極１７及び各駆動電極１８を形成するための金属には、Ｎｉ、Ｃｏ、Ｃｕ、Ａｌ等を用いることができるが、電気抵抗の面からはＡｌやＣｕを用いることが好ましく、腐食や強度、コストの面からはＮｉを用いることが好ましい。更に、例えばＡｌの上にＡｕを積層した積層構造とすることもできる。
【００４４】
これら共通電極１７及び駆動電極１８の形成方法としては、蒸着法、スパッタリング法、めっき法、ＣＶＤ法の真空装置を用いた方法等が挙げられるが、めっき法によるものが好ましく、特に無電解めっきにより形成することが好ましい。無電解めっきによれば、均一且つピンホールフリーの金属被膜を形成することができる。めっき膜の厚みは０．５μｍ〜５μｍの範囲が好ましい。
【００４５】
ここで、各ダミーキャビティ１５内の各駆動電極１８は、共通電極１７よりも圧力発生体１３がノズル板１１と接合する端面１３ｃから離間して設けられている。すなわち、各ダミーキャビティ１５内に臨む駆動壁１６の両壁面のうち、ノズル板１１と接合する端面１３ｃ側には、駆動電極１８が形成されずに圧電材料が露出する領域１６ｃが存在している。
【００４６】
ここで、共通電極１７と駆動電極１８のそれぞれの長さは異なっており、駆動電極１８の方が、共通電極１７よりもノズル板１１から離間するように設けられている。そして、図３に詳細に示すように、一つの駆動壁１６の一方の壁面１６ｄに設けられている共通電極１７のノズル板１１側の先端１７ａと、この駆動壁１６を挟んで他方の壁面１６ｅに設けられている駆動電極１８のノズル板１１側の先端１８ａとを含む平面Ｐ（仮想平面）が、駆動壁１６の共通電極１７側の壁面１６ｄとなす角度θは６０°以下とされている。このため、駆動電極１８は、図３に示す平面Ｐよりもノズル板１１から離間するように設けられている。
【００４７】
これにより、駆動電極１８に最も近い図１中の破線で示すＸの領域で放電が起こった場合でも、放電は共通電極１７側に流れ込み易く、各駆動電極１８は空気又は圧電材料によって電流から保護され、駆動電極１８側に電流が流れ込む危険性を低減することができる。また、駆動電極１８はノズル板１１から離隔するため、駆動電極１８に駆動電圧を印加する際に形成される電界によって、対向電極２０によるインク滴の加速電界が干渉を受けることを低減することができ、インク滴を吐出する際の安定性を向上させることができる。上記θが６０°を超えるようになると、これらの効果を得ることが困難になる。
【００４８】
各駆動電極１８をノズル板１１と接合する端面１３ｃから離間するように形成するには、金属被膜を形成する際、領域１６ｃに相当する部位の駆動壁１６の壁面に、予めドライフィルムを貼着するか、レジストを形成しておき、金属被膜を形成した後に除去することで、選択的に駆動電極１８を形成する方法を採用することができる。
【００４９】
各駆動電極１８のノズル板１１側の先端１８ａの形状は、ノズル板１１側に尖っている部分が形成されないように、図４（Ａ）のようにノズル板１１と平行とするか、又は図３（Ｂ）のようにノズル板１１側に凸となるように湾曲させることが好ましい。
【００５０】
各吐出キャビティ１４内の駆動壁１６の壁面に形成される各共通電極１７は、上記関係を満足するように各駆動電極１８よりもノズル板１１側に突出して設けられていればよいが、放電時の駆動電極１８への電流の流れ込みをより効果的に防止する観点からは、特に圧力発生体１３における吐出キャビティ１４が開口する面まで延在していることが好ましく、ノズル板１１と接するように設けられていることがより好ましい。
【００５１】
以上の実施形態では、ダミーキャビティ１５内の駆動壁面に駆動電極１８を設けるようにしたが、図５に示すように、同様にして、吐出キャビティ１４内の駆動壁面に駆動電極を設けるようにしてインクジェットヘッド１０’を構成してもよい。図５において、図１と同一符号の部位は同一構成の部位を示している。
【００５２】
この場合、駆動電極１８はインクと接することになるため、絶縁性の保護膜を形成しておくことが好ましい。
【実施例】
【００５３】
以下、本発明の効果を実施例によって例証する。
【００５４】
＜インクジェット記録装置の構成＞
・インクジェットヘッドの構成
圧電材料としてＰＺＴを使用し、以下の構成からなる静電吸引方式のインクジェットヘッドＮｏ．１〜２４を作成した。
【００５５】
吐出キャビティ
幅：８０μｍ
深さ：２００μｍ
本数：１２８本
ダミーキャビティ
幅：８０μｍ
深さ：２００μｍ
本数：１２８本
駆動壁
幅：ａ＝８０μｍ
ノズル板
材質：ポリイミド
厚さ：８０μｍ
ノズル数：１２８ノズル
共通電極（Ｎｏ．１〜１２はダミーキャビティ内、Ｎｏ．１３〜２４は吐出キャビティ内に配置）
使用金属：Ａｌ
厚み：０．５μｍ
駆動電極（Ｎｏ．１〜１２は吐出キャビティ内、Ｎｏ．１３〜２４はダミーキャビティ内に配置）
使用金属：Ａｌ
厚み０．５μｍ
【００５６】
なお、インクジェットヘッドＮｏ．１〜２４のそれぞれにおける、共通電極の先端と駆動電極の先端とを含む平面が駆動壁の壁面となす角度θは、表１に示す通りとした。
【００５７】
また、図７に示すように、駆動電極の先端のノズル板からの離間距離ｂ及び共通電極の先端のノズル板からの離間距離ｃは、表１に示す通りである。
【００５８】
以上のインクジェットヘッドＮｏ．１〜２４を用いて、ノズル板と対向電極との間の距離が２．３ｍｍとなるように設置してインクジェット記録装置を構成し、インクジェットヘッドと対向電極との間に２ｋＶの電圧を印加するようにした。
【００５９】
＜放電の評価方法＞  
図６に示すように、インクジェットヘッドの駆動電極と駆動基板との間に電流計を介設した。駆動電極に電流が流れ込んだ場合、電流計によって検出されるため、この電流計による電流検出の有無により放電発生時の駆動電極への電流の流れ込みを確認した。
【００６０】
評価は、発生した放電の頻度に対して駆動電極又は共通電極に電流が流れ込む割合を観察することにより、以下の基準により行った。
【００６１】
○：常に共通電極に放電する
△：８０％以上共通電極に放電する
×：８０％以上駆動電極に放電する
【００６２】
＜吐出安定性の評価方法＞
インクジェットヘッドの各ノズルから、ノズルの並び方向と直交する方向に沿って一定速度で搬送される記録媒体に向けて、駆動周波数１０Ｈｚでインク滴を吐出することにより点を記録した。駆動電極の電界による影響によってインク滴に着弾ずれが発生していれば、記録される点に乱れが生ずる。従って、記録された点の乱れ具合を観察することにより、駆動電極の電界による影響を調べることができる。
【００６３】
評価は以下の基準により行った。
【００６４】
○：全く問題なし
△：やや乱れが目立つ
×：乱れが大きく目立つ
【００６５】
【表１】
2008284813.tif 000003
【００６６】
以上の結果から、θが６０°以下である場合には、放電による電流の駆動電極への流れ込みがなく、また、吐出も安定することがわかる。
【図面の簡単な説明】
【００６７】
【図１】本発明に係るインクジェット記録装置の一例を示す概略図
【図２】図１のＡ−Ａ’線に沿う断面図
【図３】共通電極と駆動電極との先端側の構成を示す図
【図４】図１のＢ−Ｂ’線に沿う断面図
【図５】本発明に係るインクジェットヘッドの他の態様を示す概略図
【図６】インクジェット記録装置の実験方法を示す概略図
【図７】駆動壁、共通電極及び駆動電極との関係を示す図
【図８】従来のインクジェットヘッドの一例を示す概略図
【図９】インクジェット記録装置における電界の様子を示す図
【符号の説明】
【００６８】
１０：インクジェットヘッド
１１：ノズル板
１２：ノズル
１３：圧力発生体
１３ａ：上部基板
１３ｂ：下部基板
１３ｃ：端面
１４：吐出キャビティ
１５：ダミーキャビティ
１６：駆動壁
１６ａ、１６ｂ：圧電材料
１６ｃ：領域
１６ｄ、１６ｅ：壁面
１７：共通電極
１８：駆動電極
１８ａ：先端
１９：駆動用電源
２０：対向電極
２１：電源
３０：記録媒体
Ｐ：平面
【図１】
2008284813.tif 000004
【図２】
2008284813.tif 000005
【図３】
2008284813.tif 000006
【図４】
2008284813.tif 000007
【図５】
2008284813.tif 000008
【図６】
2008284813.tif 000009
【図７】
2008284813.tif 000010
【図８】
2008284813.tif 000011
【図９】
2008284813.tif 000012